(57)【要約】【課題】住居への宅配があったことを認識することができる通信システムを提供する。【解決手段】実施形態の通信システムは、カメラと、記憶部と、コード照合部と、制御部とを有する。カメラは、居住者が居住する住居の所定の位置に設けられ、所定の認証コードを読み取る。記憶部は、認証コードと所定の情報とが紐付けられたテーブルを記憶する。コード照合部は、カメラにより読み取られた所定の認証コードと、記憶部に予め登録された認証コードとが一致しているか否かを検出する。制御部は、コード照合部により所定の認証コードと予め登録された認証コードとが一致したことが検出された場合、予め設定された携帯端末に対して所定の情報を含む通知を行う。【選択図】図１
2016181821.tif 000002
【特許請求の範囲】
【請求項１】
居住者が居住する住居の所定の位置に設けられ、所定の認証コードを読み取るカメラと；
認証コードと所定の情報とが紐付けられたテーブルを記憶する記憶部と；
前記カメラにより読み取られた前記所定の認証コードと、前記記憶部に予め登録された認証コードとが一致しているか否かを検出するコード照合部と；
前記コード照合部により前記所定の認証コードと前記予め登録された認証コードとが一致したことが検出された場合、予め設定された携帯端末に対して前記所定の情報を含む通知を行う制御部と；
を有することを特徴とする通信システム。
【請求項２】
前記所定の情報は認証コードに紐付けられた商品名を含むことを特徴とする請求項１に記載の通信システム。
【請求項３】
前記所定の情報は認証コードに紐付けられた宅配業者の連絡先を含むことを特徴とする請求項１または２に記載の通信システム。
【請求項４】
前記所定の情報は認証コードに紐付けられた商品の追跡記録を含むことを特徴とする請求項１ないし３のいずれか一に記載の通信システム。  
【請求項５】
前記制御部は、前記テーブルの追跡記録を所定の時間毎に更新することを特徴とする請求項４に記載の通信システム。
【請求項６】
前記制御部は、前記携帯端末からリクエストがあった場合、前記テーブルのリストを前記携帯端末に通知することを特徴とする請求項１ないし５のいずれか一に記載の通信システム。
【請求項７】
前記制御部は、前記携帯端末からリクエストがあった場合、前記追跡記録が配達済みになった商品を削除したリストを前記携帯端末に通知することを特徴とする請求項６に記載の通信システム。
【発明の詳細な説明】
【技術分野】
【０００１】
本発明の実施形態は、通信システムに関する。
【背景技術】
【０００２】
従来、住居の玄関ドアの近辺に設置された子機端末と、当該住居内に設置された親機端末と、を有し、当該子機端末の呼出スイッチが当該住居への来訪者により押下された際に、当該来訪者の存在を当該住居の居住者に報知するための動作が親機端末により行われるような構成を有するインターホンシステムが知られている。
【０００３】
そして、例えば、特許文献１には、前述のインターホンシステムに対応するインターホン装置が開示されている。
【０００４】
ところで、近年では、居住者がインターネット等に接続できるパーソナルコンピュータ等を用いて、通信販売業者のサイトにアクセスし、欲しい商品を購入することができる。このように通信販売業者から商品を購入した場合、通信販売業者は宅配業者に商品の配送を委託する。そして、宅配業者が商品を購入した購入者の住居に商品を宅配することになる。
【０００５】
宅配業者は、商品を宅配する場合、玄関ドアの近辺に設置された子機端末の呼出スイッチを押下し、居住者が在宅か否かを確認し、居住者が在宅の場合、商品の受け渡しを行い、居住者が在宅でない場合、例えば不在通知をポスト等に入れる。
【０００６】
この場合、購入者は、住居に戻り、ポスト等に入れられた不在通知を確認することで、初めて宅配があったことを認識することになるため、宅配があったことを直ちに認識することができなかった。
【先行技術文献】
【特許文献】
【０００７】
【特許文献１】日本国特許第４８９２３８６号公報
【発明の概要】
【発明が解決しようとする課題】
【０００８】
実施形態は、住居への宅配があったことを認識することができる通信システムを提供することを目的とする。
【課題を解決するための手段】
【０００９】
実施形態の通信システムは、カメラと、記憶部と、コード照合部と、制御部とを有する。カメラは、居住者が居住する住居の所定の位置に設けられ、所定の認証コードを読み取る。記憶部は、認証コードと所定の情報とが紐付けられたテーブルを記憶する。コード照合部は、カメラにより読み取られた所定の認証コードと、記憶部に予め登録された認証コードとが一致しているか否かを検出する。制御部は、コード照合部により所定の認証コードと予め登録された認証コードとが一致したことが検出された場合、予め設定された携帯端末に対して所定の情報を含む通知を行う。
【発明の効果】
【００１０】
実施形態の通信システムによれば、住居への宅配があったことを認識することが期待できる。
【図面の簡単な説明】
【００１１】
【図１】実施形態に係る通信システムの構成の一例を説明するための図である。
【図２】通信システムの記憶部に記憶されるテーブルの一例を説明するための図である。
【図３】通信システム１０１を用いて通信販売業者２０２から商品を購入した際の流れの一例を説明するための図である。
【図４】実施形態に係る通信システムにおいて行われる制御等の一例を示すフローチャートである。
【図５】変形例に係るテーブルの一例を説明するための図である。
【図６】変形例に係る通信システム１０１を用いて通信販売業者２０２から商品を購入した際の流れの一例を説明するための図である。
【発明を実施するための形態】
【００１２】
実施形態に係る通信システムは、居住者が居住する住居の所定の位置に設けられ、所定の認証コードを読み取るカメラと；認証コードと所定の情報とが紐付けられたテーブルを記憶する記憶部と；前記カメラにより読み取られた前記所定の認証コードと、前記記憶部に予め登録された認証コードとが一致しているか否かを検出するコード照合部と；前記コード照合部により前記所定の認証コードと前記認証コードとが一致したことが検出された場合、予め設定された携帯端末に対して前記所定の情報を含む通知を行う制御部と；を有する。
【００１３】
また、実施形態に係る通信システムは、前記所定の情報は認証コードに紐付けられた商品名を含む。
【００１４】
また、実施形態に係る通信システムは、前記所定の情報は認証コードに紐付けられた宅配業者の連絡先を含む。
【００１５】
また、実施形態に係る通信システムは、前記所定の情報は認証コードに紐付けられた商品の追跡記録を含む。
【００１６】
また、実施形態に係る通信システムは、前記制御部は、前記テーブルの追跡記録を所定の時間毎に更新する。
【００１７】
また、実施形態に係る通信システムは、前記制御部は、前記携帯端末からリクエストがあった場合、前記テーブルのリストを前記携帯端末に通知する。
【００１８】
また、実施形態に係る通信システムは、前記制御部は、前記携帯端末からリクエストがあった場合、前記追跡記録が配達済みになった商品を削除したリストを前記携帯端末に通知する。
【００１９】
以下、図面を参照して実施形態について詳細に説明する。
【００２０】
まず、図１および図２に基づき、実施形態に係る通信システムの構成について説明する。図１は、実施形態に係る通信システムの構成の一例を説明するための図であり、図２は、通信システムの記憶部に記憶されるテーブルの一例を説明するための図である。
【００２１】
図１に示すように、通信システム１０１は、居住者が居住する住居ＨＭの所定の位置（例えば玄関ドアＥＤの近辺）に設定された子機端末１と、住居ＨＭ内に設置された親機端末２と、ゲートウェイ装置３と、居室端末４と、を有して構成されている。
【００２２】
子機端末１は、カメラ１１と、通話部１２と、呼出スイッチ１３と、人感センサ１４と、報知部１５と、を有して構成されている。また、子機端末１は、親機端末２との間で双方向に通信を行うことができるように構成されている。
【００２３】
カメラ１１は、住居ＨＭの玄関ドアＥＤの周辺を撮影して映像を得るとともに、当該得られた映像を親機端末２へ送信するように構成されている。すなわち、カメラ１１は、玄関ドアＥＤに近辺に配置され、住居ＨＭを訪れた来訪者（以下、単に来訪者とも称する）を撮像して映像を得ることができるように構成されている。
【００２４】
また、カメラ１１は、後述する認証コードを読み取り、親機端末２へ送信するように構成されている。
【００２５】
通話部１２は、例えば、マイク及びスピーカーを具備し、親機端末２の通話部２２（後述）との間で通話を行うことができるように構成されている。
【００２６】
呼出スイッチ１３は、例えば、来訪者が住居ＨＭの居住者（以降、単に居住者とも称する）を呼び出す際に押下される押しボタンスイッチとして構成されている。
【００２７】
人感センサ１４は、例えば、赤外線センサを具備し、住居ＨＭの玄関ドアＥＤの周辺における人の存在の有無を検知するように構成されている。
【００２８】
報知部１５は、例えば、ＬＥＤを具備し、カメラ１１に認証コードが読み取られた際に、所定の光を発光するように構成されている。なお、報知部１５は、光を発光するＬＥＤ等に限定されることなく、カメラ１１に認証コードが読み取られた際に、例えば、所定の音を出力するスピーカー等であってもよい。
【００２９】
親機端末２は、表示部２１と、通話部２２と、音声発生装置２３と、記憶部２４と、コード照合部２５と、制御部２６と、を有して構成されている。また、親機端末２は、子機端末１との間で双方向に通信を行うことができるように構成されている。また、親機端末２は、住居ＨＭ内に設置されたゲートウェイ装置３に接続されている。
【００３０】
表示部２１は、例えば、液晶ディスプレイを具備して構成されている。また、表示部２１は、制御部２６の制御に応じ、例えば、親機端末２に設けられた図示しない通話ボタン（以降、単に通話ボタンとも称する）が押下されてから、親機端末２に設けられた図示しない終話ボタン（以降、単に終話ボタンとも称する）が押下されるまでの期間中において、カメラ１１により得られた映像を表示するように構成されている。
【００３１】
通話部２２は、例えば、マイク及びスピーカーを具備して構成されている。また、通話部２２は、制御部２６の制御に応じ、例えば、通話ボタンが押下されてから終話ボタンが押下されるまでの期間中において、子機端末１の通話部１２との間で通話を行うことができるように構成されている。
【００３２】
音声発生装置２３は、例えば、音声発生回路を具備して構成されている。また、音声発生装置２３は、制御部２６の制御に応じ、例えば、呼出スイッチ１３が押下された際に、予め設定された複数の呼出音の中から選択された１つの選択音を発生することができるように構成されている。
【００３３】
記憶部２４は、例えば、不揮発性のメモリ等を具備して構成されている。また、記憶部２４には、図２に示すように、コード照合部２５の処理及び制御部２６の制御に利用可能なテーブルＴＢが格納されている。このテーブルＴＢには、認証コードと所定の情報とが紐付けられている。この所定の情報は、認証コードに紐付けられた商品名を含む。後述するが、記憶部２４に格納されるテーブルＴＢの情報は、通信販売業者２０２から公衆回線網ＰＮを介して送信されるものである。
【００３４】
コード照合部２５は、カメラ１１により読み取られた認証コードと、記憶部２４に格納されているテーブルＴＢに登録済み（すなわち、記憶部２４に予め登録された）認証コードとを比較して比較結果を得るための処理を行うように構成されている。なお、認証コードは、例えばＱＲコード（登録商標）等の２次元コードであるが、これに限定されることなく、英数字が羅列した英数字コードや１次元コード等であってもよい。
【００３５】
制御部２６は、例えば、通話ボタンが押下されたことを検知した際に、カメラ１１により得られた映像を表示部２１に表示させるための制御を行うとともに、通話部１２と通話部２２との間の回線を接続して通話状態にするための制御を行うように構成されている。また、制御部２６は、例えば、終話ボタンが押下されたことを検知した際に、カメラ１１により得られた映像を表示部２１において非表示にするための制御を行うとともに、通話部１２と通話部２２との間の回線の接続を切断して非通話状態にするための制御を行うように構成されている。
【００３６】
また、制御部２６は、カメラ１１により認証コードが読み取られた際に、コード照合部２５により得られた比較結果に基づき、認証コードが一致している場合、予め設定された携帯端末２０１に認証コードに紐付けられた所定の情報を含むメール通知を行うように構成されている。
【００３７】
ゲートウェイ装置３は、ルータ機能を備えるとともに、例えば、インターネット等の公衆回線網ＰＮに接続するための通信回路を具備して構成されている。また、ゲートウェイ装置３は、親機端末２との間で双方向に通信することができるとともに、親機端末２を公衆回線網ＰＮに接続するための動作を行うことができるように構成されている。また、ゲートウェイ装置３は、親機端末２と、居住者が所有するスマートフォン等の携帯端末２０１との間において、公衆回線網ＰＮを介した双方向通信を確立するための動作を行うことができるように構成されている。
【００３８】
また、ゲートウェイ装置３は、居室端末４との間で双方向に通信することができるとともに、居室端末４を公衆回線網ＰＮに接続するための動作を行うことができるように構成されている。
【００３９】
居室端末４は、例えばインターネットに接続可能なパーソナルコンピュータ等であり、居住者は、居室端末４を操作することで、公衆回線網ＰＮを介して通信販売業者のウェブサイト等にアクセスする。そして、居住者は、通信販売業者のウェブサイトから所望の商品を購入することができる。
【００４０】
また、ゲートウェイ装置３は、例えば、制御部２６の制御または図示しないメモリに格納されている動作設定に応じて家電機器５を動作させることが可能な制御回路を具備して構成されている。  家電機器５は、例えば、住居ＨＭに設置された照明装置等であり、現在の動作状態をゲートウェイ装置３へ出力することができるとともに、ゲートウェイ装置３の制御に応じた動作を行うことができるように構成されている。
【００４１】
ここで、通信システム１０１を用いて通信販売業者２０２から商品を購入した際の流れについて説明する。図３は、通信システム１０１を用いて通信販売業者２０２から商品を購入した際の流れの一例を説明するための図である。
【００４２】
まず、住居ＨＭに居住する居住者は、居室端末４を操作して公衆回線網ＰＮに接続し、通信販売業者２０２の例えばウェブサイトにアクセスし、購入したい商品を注文する（ステップＳ１）。通信販売業者２０２は、商品の注文を受け付けると、購入者に対して認証コード及び商品名を公衆回線網ＰＮを介して通知する（ステップＳ２）。通信販売業者２０２から通知された認証コード及び商品名は、ゲートウェイ装置３を介して親機端末２に入力され、記憶部２４にテーブルＴＢとして格納されることになる。
【００４３】
次に、通信販売業者２０２は、商品の宅配を請け負う宅配業者２０３に商品の宅配を委託する（ステップＳ３）。このとき、通信販売業者２０２は、購入者が注文した商品とともに、認証コードを宅配業者２０３に引き渡す。例えば、通信販売業者２０２は、商品を梱包した箱に認証コードを張り付けて、宅配業者２０３に渡すようにすればよい。なお、通信販売業者２０２は、ステップＳ２とステップＳ３の処理を同時に実行してもよいし、ステップＳ３の処理を実行後に、ステップＳ２の処理を実行してもよい。
【００４４】
次に、商品の配達を委託された宅配業者２０３の宅配員は、商品を注文した購入者の住居ＨＭに商品を宅配する。このとき、宅配業者２０３の宅配員は、子機端末１の呼出スイッチ１３を押下し、購入者が住居ＨＭに在宅か否かを確認し、購入者が住居ＨＭに在宅の場合、購入者に商品を引き渡す。一方、宅配業者２０３の宅配員は、購入者が住居ＨＭに在宅でない場合、カメラ１１に認証コードを読み取らせる（ステップＳ４）。
【００４５】
子機端末１のカメラ１１により読み取られた認証コードは、親機端末２に送信され、ステップＳ２の処理で通信販売業者２０２から送信された認証コードと照合される（ステップＳ５）。親機端末２は、認証コードが一致した場合、予め登録している携帯端末２０１にメールにより通知を行う（ステップＳ６）。
【００４６】
続いて、ステップＳ５及びＳ６の処理の具体例について、図４のフローチャートを参照しつつ説明する。図４は、実施形態に係る通信システムにおいて行われる制御等の一例を示すフローチャートである。
【００４７】
まず、制御部２６により、呼出スイッチ１３が押下されたか否かが判定される（ステップＳ１１）。呼出スイッチ１３が押下されていないと判定された場合、ＮＯとなり、ステップＳ１１に戻り、同様の処理を繰り返す。
【００４８】
一方、呼出スイッチ１３が押下されたと判定された場合、ＹＥＳとなり、制御部２６により、認証コードが取得されたか否かが判定される（ステップＳ１２）。認証コードが取得されていないと判定された場合、ＮＯとなり、ステップＳ１２に戻り、同様の処理を繰り返す。なお、図示は省略するがステップＳ１２の処理を一定時間繰り返しても認証コードを取得しない場合にはステップＳ１１の処理に戻るようにしてもよい。
【００４９】
一方、認証コードが取得されたと判定された場合、ＹＥＳとなり、コード照合部２５により、取得された認証コードと、記憶部２４に記憶されている認証コードとが比較される（ステップＳ１３）。
【００５０】
次に、コード照合部２５により、取得された認証コードと、記憶部２４に記憶されている認証コードとが一致しているか否かが判定される（ステップＳ１４）。取得された認証コードと、記憶部２４に記憶されている認証コードとが一致していないと判定された場合、ＮＯとなり、処理を終了する。一方、取得された認証コードと、記憶部２４に記憶されている認証コードとが一致していると判定された場合、ＹＥＳとなり、制御部２６により、予め登録されている携帯端末２０１にメールが通知され（ステップＳ１５）、処理を終了する。
【００５１】
このメールの通知では、記憶部２４のテーブルＴＢにおいて、認証コードが一致した認証コードに紐付けられている商品名を通知する。この結果、商品の購入者は、住居ＨＭから外出している際でも、どの商品が何時に宅配されたかを外出先で認識することができるようになる。
【００５２】
よって、本実施形態の通信システムによれば、住居への宅配があったことを直ちに認識することができる。また、宅配業者は認証コードのみでは商品名がわからないため、商品の購入者は商品名を知られることなく安全に商品を配送してもらうことができる。
（変形例）
次に、変形例について説明する。図５は、変形例に係るテーブルの一例を説明するための図である。
【００５３】
図５に示すように、変形例のテーブルＴＢａは、認証コードに商品名、宅配業者２０３の連絡先、注文した商品の追跡番号、及び、追跡記録が紐付けられている。すなわち、通信販売業者２０２は、居室端末４から商品の注文が入り、宅配業者に当該商品の宅配を依頼すると、商品の宅配を委託する宅配業者２０３から宅配業者２０３の連絡先と、商品の追跡番号とを連絡してもらう。
【００５４】
通信販売業者２０２は、認証コード及び商品名に加え、宅配業者２０３の連絡先及び商品の追跡番号も公衆回線網ＰＮを介して、商品の購入者へ送信する。これにより、認証コード、商品名、宅配業者２０３の連絡先、商品の追跡番号がテーブルＴＢａに登録される。
【００５５】
そして、制御部２６は、公衆回線網ＰＮを介して宅配業者２０３のウェブサイトに所定の間隔でアクセスし、テーブルＴＢａに登録されている追跡番号の追跡結果を取得し、テーブルＴＢａの追跡記録を所定の間隔で更新する。このように、テーブルＴＢａには、認証コードと所定の情報とが紐付けられている。この所定の情報は、認証コードに紐付けられた商品名、宅配業者の連絡先、商品の追跡番号、及び、商品の追跡記録を含む。
【００５６】
制御部２６は、上述した実施形態と同様に、カメラ１１により認証コードが読み取られた際に、コード照合部２５により得られた比較結果に基づき、認証コードが一致している場合、予め設定された携帯端末２０１に認証コードに紐付けられた所定の情報を含むメール通知を行う。なお、メール通知を行う所定の情報は、認証コードに紐付けられた商品名、宅配業者の連絡先、商品の追跡番号、及び、商品の追跡記録を全て含む必要はなく、いずれか１つの情報だけでもよい。
【００５７】
図６は、変形例に係る通信システム１０１を用いて通信販売業者２０２から商品を購入した際の流れの一例を説明するための図である。なお、図６において、図３と同様の処理については、同一の符号を付して説明を省略する。
【００５８】
ステップＳ１において、商品が注文されると、通信販売業者２０２は、商品の宅配を請け負う宅配業者２０３に商品の宅配を委託する（ステップＳ２１）。このとき、通信販売業者２０２は、購入者が注文した商品とともに、認証コードを宅配業者２０３に引き渡す。
【００５９】
次に、宅配業者２０３は、宅配業者２０３の連絡先と、商品の追跡番号を通信販売業者２０２に連絡する（ステップＳ２２）。次に、通信販売業者２０２は、購入者に対して認証コード及び商品名に加え、宅配業者２０３の連絡先及び追跡番号を公衆回線網ＰＮを介して通知する（ステップＳ２３）。通信販売業者２０２から通知された認証コード、商品名、宅配業者２０３の連絡先及び追跡番号は、ゲートウェイ装置３を介して親機端末２に入力され、記憶部２４にテーブルＴＢａとして格納されることになる。
【００６０】
なお、通信販売業者２０２は、商品が注文されると、認証コードと商品名を公衆回線網ＰＮを介して購入者に通知し、宅配業者２０３から宅配業者２０３の連絡先及び追跡番号の連絡があった後に、宅配業者２０３の連絡先及び追跡番号を公衆回線網ＰＮを介して購入者に通知するようにしてもよい。また、宅配業者２０３の連絡先及び追跡番号は、宅配業者２０３が公衆回線網ＰＮを介して購入者に直接通知するようにしてもよい。
【００６１】
また、商品の購入者は、商品の配達状況を確認したい場合がある。この場合、購入者は親機端末２の表示部２１に表示されたテーブルＴＢａを直接確認してもよいし、外出中の場合には、携帯端末２０１を用いて公衆回線網ＰＮを介して確認するようにしてもよい。つまり、携帯端末２０１が親機端末２にテーブルＴＢａのリストを送付するように通知し、制御部２６は、この通知があった場合、テーブルＴＢａのリストを例えばメールにより携帯端末２０１に送付する。この結果、商品の購入者は、外出中でも購入した商品の配達状況を確認することができるようになる。なお、制御部２６は、テーブルＴＢａの追跡記録を参照し、追跡記録が配達済みとなっている商品（図５の例では認証コード「００１Ａ」及び「００２Ｂ」の商品）をリストから削除してもよいし、携帯端末２０１からテーブルＴＢａのリスト送付通知があった場合に、追跡記録が配達済みとなっている商品を除いたリストを携帯端末２０１に送付するようにしてもよい。
【００６２】
なお、上記変形例では、通信販売業者２０２が認証コード及び商品名を親機端末２に送信する例について説明したが、宅配業者２０３が認証コードを作成し、親機端末２に送信するようにしてもよい。この場合には、例えば、宅配業者２０３が認証コード、商品名に加え、宅配業者２０３の連絡先及び追跡番号を合わせて親機端末に送信するようにしてもよい。
【００６３】
なお、明細書におけるフローチャート中の各ステップは、その性質に反しない限り、実行順序を変更し、複数同時に実行し、あるいは実行毎に異なった順序で実行してもよい。
【００６４】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００６５】
１…子機端末、２…親機端末、３…ゲートウェイ装置、４…居室端末、５…家電機器、１１…カメラ、１２…通話部、１３…呼出スイッチ、１４…人感センサ、１５…報知部、２１…表示部、２２…通話部、２３…音声発生装置、２４…記憶部、２５…コード照合部、２６…制御部、１０１…通信システム、２０１…携帯端末、２０２…通信販売業者、２０３…宅配業者。
【図１】
2016181821.tif 000003
【図２】
2016181821.tif 000004
【図３】
2016181821.tif 000005
【図４】
2016181821.tif 000006
【図５】
2016181821.tif 000007
【図６】
2016181821.tif 000008